【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
カラープロファイルに含まれる情報に基づいて入力カラー画像データを出力カラー画像データに変換する色管理モジュールであって、
複数の色域マッピングアルゴリズムを保持する保持部と、
入力装置カラープロファイルおよび出力装置カラープロファイルを取得する取得部と、
前記複数の色域マッピングアルゴリズムのいずれを使用するかを指示する指示情報および該指示された色域マッピングアルゴリズムを調整するための調整パラメータを有するプラグイン形式の色域マッピングアルゴリズム制御データを、外部から取得する色域マッピングアルゴリズムインターフェースと、
前記入力装置カラープロファイル内の情報を用いて、前記入力カラー画像データを標準化色空間に変換する第１変換部と、
前記プラグイン形式の色域マッピングアルゴリズム制御データに含まれている指示情報に応じた前記保持部に保持されている色域マッピングアルゴリズムおよび前記プラグイン形式の色域マッピングアルゴリズム制御データに含まれている調整パラメータを用いて、前記出力装置カラープロファイル内の情報に応じた出力装置の色域境界内に、前記標準化色空間のカラー画像データをマッピングするマッピング部と、
前記出力カラープロファイル内の情報を用いて、前記色域マッピングされたカラー画像データを出力カラー画像データに変換する第２変換部とを有することを特徴とする色管理モジュール。
【請求項２】
前記標準化色空間は、装置および表示条件に依存しない色空間であることを特徴とする請求項１記載の色管理モジュール。
【請求項３】
前記標準色空間は色見かけモデルを用いて変換されることを特徴とする請求項１または２記載の色管理モジュール。
【請求項４】
前記色見かけモデルはCIECAMであることを特徴とする請求項３記載の色管理モジュール。
【請求項５】
カラープロファイルに含まれる情報に基づいて入力カラー画像データを出力カラー画像データに変換する色管理方法であって、
入力装置カラープロファイルおよび出力装置カラープロファイルを取得する取得工程と、
複数の色域マッピングアルゴリズムのいずれを使用するかを指示する指示情報および該指示された色域マッピングアルゴリズムを調整するための調整パラメータを有するプラグイン形式の色域マッピングアルゴリズム制御データを、外部から取得する工程と、
前記入力装置カラープロファイル内の情報を用いて、前記入力カラー画像データを標準化色空間に変換する第１変換工程と、
前記プラグイン形式の色域マッピングアルゴリズム制御データに含まれている指示情報に応じた前記保持部に保持されている色域マッピングアルゴリズムおよび前記プラグイン形式の色域マッピングアルゴリズム制御データに含まれる調整パラメータを用いて、前記出力装置カラープロファイル内の情報に応じた出力装置の色域境界内に、前記標準化色空間のカラー画像データをマッピングするマッピング工程と、
前記出力カラープロファイル内の情報を用いて、前記色域マッピングされたカラー画像データを出力カラー画像データに変換する第２変換工程と、
を含むことを特徴とする色管理方法。
【請求項６】
コンピュータにて実行すべく請求項１に記載の色管理モジュールのプログラムを格納した記録媒体。
【手続補正２】
【補正対象書類名】明細書
【補正対象項目名】０００１
【補正方法】変更
【補正の内容】
【０００１】
本発明は、カラープロファイルに含まれる情報に基づいて入力カラー画像データを出力カラー画像データに変換するものに関する。
【手続補正３】
【補正対象書類名】明細書
【補正対象項目名】００１０
【補正方法】変更
【補正の内容】
【００１０】
上記課題を解決するため、本発明に係る色管理モジュールは、カラープロファイルに含まれる情報に基づいて入力カラー画像データを出力カラー画像データに変換する色管理モジュールであって、
複数の色域マッピングアルゴリズムを保持する保持部と、
入力装置カラープロファイルおよび出力装置カラープロファイルを取得する取得部と、
前記複数の色域マッピングアルゴリズムのいずれを使用するかを指示する指示情報および該指示された色域マッピングアルゴリズムを調整するための調整パラメータを有するプラグイン形式の色域マッピングアルゴリズム制御データを、外部から取得する色域マッピングアルゴリズムインターフェースと、
前記入力装置カラープロファイル内の情報を用いて、前記入力カラー画像データを標準化色空間に変換する第１変換部と、
前記プラグイン形式の色域マッピングアルゴリズム制御データに含まれている指示情報に応じた前記保持部に保持されている色域マッピングアルゴリズムおよび前記プラグイン形式の色域マッピングアルゴリズム制御データに含まれる調整パラメータを用いて、前記出力装置カラープロファイル内の情報に応じた出力装置の色域境界内に、前記標準化色空間のカラー画像データをマッピングするマッピング部と、
前記出力カラープロファイル内の情報を用いて、前記色域マッピングされたカラー画像データを出力カラー画像データに変換する第２変換部とを有することを特徴とする。
【手続補正４】
【補正対象書類名】明細書
【補正対象項目名】００１１
【補正方法】変更
【補正の内容】
【００１１】
上記課題を解決するため、本発明に係る色管理方法は、カラープロファイルに含まれる情報に基づいて入力カラー画像データを出力カラー画像データに変換する色管理方法であって、
入力装置カラープロファイルおよび出力装置カラープロファイルを取得する取得工程と、
複数の色域マッピングアルゴリズムのいずれを使用するかを指示する指示情報および該指示された色域マッピングアルゴリズムを調整するための調整パラメータを有するプラグイン形式の色域マッピングアルゴリズム制御データを、外部から取得する工程と、
前記入力装置カラープロファイル内の情報を用いて、前記入力カラー画像データを標準化色空間に変換する第１変換工程と、
前記プラグイン形式の色域マッピングアルゴリズム制御データに含まれている指示情報に応じた前記保持部に保持されている色域マッピングアルゴリズムおよび前記プラグイン形式の色域マッピングアルゴリズム制御データに含まれている調整パラメータを用いて、前記出力装置カラープロファイル内の情報に応じた出力装置の色域境界内に、前記標準化色空間のカラー画像データをマッピングするマッピング工程と、
前記出力カラープロファイル内の情報を用いて、前記色域マッピングされたカラー画像データを出力カラー画像データに変換する第２変換工程と、
を含むことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】